(57)【要約】【課題】インターバル記録を実行する際に、インターバル時間中に省電モードが実行された場合でも、撮像記録に関する状態情報を撮影者が確認できるようにする。【解決手段】画像ファイルを記録する記録媒体と、画像ファイルを生成して前記記録媒体に記録する撮像記録手段と、インターバル記録モードで撮像するよう前記撮像記録手段を制御する撮像記録制御手段と、電磁誘導にて給電して近距離無線通信を行うことが可能な近距離無線通信手段と、遠距離無線通信が可能な遠距離無線通信手段と、前記近距離無線通信手段から前記遠距離無線通信手段へのハンドオーバーを制御する引き継ぎ制御手段と、前記撮像記録制御手段の制御状態に応じて電源状態を制御する電源制御手段とを備え、インターバル記録時以外からインターバル記録に遷移した時点で、前記ハンドオーバーを禁止する。【選択図】図１
2017022553.tif 000002
【特許請求の範囲】
【請求項１】
設定されたフレーム数の動画像を所定の時間間隔で撮像記録するインターバル記録モード機能を有する撮像記録装置であって、
画像ファイルを記録する記録媒体と、
撮像して画像ファイルを生成して前記記録媒体に記録する撮像記録手段と、
前記インターバル記録モードで撮像するよう前記撮像記録手段を制御する撮像記録制御手段と、
電磁誘導にて給電して近距離無線通信を行うことが可能な近距離無線通信手段と、
前記近距離無線通信手段よりも遠距離無線通信が可能な遠距離無線通信手段と、
前記近距離無線通信手段から前記遠距離無線通信手段へのハンドオーバーを制御する引き継ぎ制御手段と、
前記撮像記録制御手段の制御状態に応じて電源状態を制御する電源制御手段とを備え、
インターバル記録時以外からインターバル記録に遷移した時点で、前記引き継ぎ制御手段は、前記近距離無線通信手段から前記遠距離無線通信手段へのハンドオーバーを禁止することを特徴とする撮像記録装置。
【請求項２】
前記引き継ぎ制御手段は、前記インターバル記録時から前記インターバル記録時以外に遷移した時点で、前記近距離無線通信手段から前記遠距離無線通信手段へのハンドオーバーを許可することを特徴とする請求項１に記載の撮像記録装置。
【請求項３】
設定されたフレーム数の動画像を所定の時間間隔で撮像記録するインターバル記録モード機能を有する撮像記録装置であって、
画像ファイルを記録する第1の記録媒体と、
撮像して画像ファイルを生成して前記第1の記録媒体に記録する撮像記録手段と、
前記インターバル記録モードで撮像するよう前記撮像記録手段を制御する撮像記録制御手段と、
電磁誘導にて給電して近距離無線通信を行うことが可能な近距離無線通信手段と、
前記近距離無線通信手段よりも遠距離無線通信が可能な遠距離無線通信手段と、
前記近距離無線通信手段により装置外部より情報の読み出しが可能な第２の記録媒体と、
撮像記録に関する状態情報を前記第２の記録媒体に書き込む状態情報書き込み手段と、
前記撮像記録制御手段の制御状態に応じて電源状態を制御する電源制御手段とを備え、
前記状態情報書き込み手段は、前記電源状態の変更に応じて前記状態情報を前記第２の記録媒体に書き込むことを特徴とする撮像記録装置。
【請求項４】
前記電源状態は、低消費電力動作状態を含むことを特徴とする請求項３に記載の撮像記録装置。
【請求項５】
前記電源制御手段は、前記撮像記録制御手段にて制御される制御状態が前記撮像記録を実行していない時に前記低消費電力動作状態とすることを特徴とする請求項４に記載の撮像記録装置。
【請求項６】
前記電源制御手段は、前記状態情報書き込み手段により書き込みが終了した後に、前記低消費電力動作状態に移行することを特徴とする請求項５に記載の撮像記録装置。
【請求項７】
前記状態情報は、前記撮像記録手段により撮像された画像を解析した結果の情報であることを特徴とする請求項３〜６の何れか１項に記載の撮像記録装置。
【請求項８】
前記状態情報は、前記撮像記録手段がオート制御された結果の制御状態情報であることを特徴とする請求項３〜６の何れか１項に記載の撮像記録装置。
【請求項９】
前記状態情報は、前記撮像記録手段がマニュアル操作された結果の制御状態情報であることを特徴とする請求項３〜６の何れか１項に記載の撮像記録装置。
【請求項１０】
前記状態情報書き込み手段は、インターバル記録時以外は前記第２の記録媒体への書き込みを行わないことを特徴とする請求項３〜９の何れか１項に記載の撮像記録装置。
【請求項１１】
前記状態情報書き込み手段は、インターバル記録モード以外からインターバル記録モードに遷移した時点で、前記第２の記録媒体の内容のバックアップを行うことを特徴とする請求項３〜１０の何れか１項に記載の撮像記録装置。
【請求項１２】
前記状態情報書き込み手段は、インターバル記録モードからインターバル記録モード以外に遷移した時点で、前記第２の記録媒体に、前記インターバル記録時だった時の第２の記録媒体の内容のバックアップを書き戻すことを特徴とする請求項１０または１１に記載の撮像記録装置。
【請求項１３】
設定されたフレーム数の動画像を所定の時間間隔で撮像記録するインターバル記録モード機能を有する撮像記録装置の制御方法であって、
画像ファイルを記録媒体に記録する記録工程と、
撮像記録手段により撮像して画像ファイルを生成し、前記記録媒体に記録する撮像記録工程と、
前記インターバル記録モードで撮像するよう前記撮像記録手段を制御する撮像記録制御工程と、
電磁誘導にて給電して近距離無線通信を行う近距離無線通信手段による近距離無線通信工程と、
前記近距離無線通信手段よりも遠距離無線通信が可能な遠距離無線通信手段による遠距離無線通信工程と、
前記近距離無線通信手段から前記遠距離無線通信手段へのハンドオーバーを制御する引き継ぎ制御工程と、
前記撮像記録制御工程の制御状態に応じて電源状態を制御する電源制御工程とを備え、
インターバル記録時以外からインターバル記録に遷移した時点で、前記引き継ぎ制御工程は、前記近距離無線通信手段から前記遠距離無線通信手段へのハンドオーバーを禁止することを特徴とする撮像記録装置の制御方法。
【請求項１４】
設定されたフレーム数の動画像を所定の時間間隔で撮像記録するインターバル記録モード機能を有する撮像記録装置の制御方法であって、
画像ファイルを第1の記録媒体に記録する第１の記録工程と、
撮像記録手段により撮像して画像ファイルを生成して前記第1の記録媒体に記録する撮像記録工程と、
前記インターバル記録モードで撮像するよう前記撮像記録手段を制御する撮像記録制御工程と、
電磁誘導にて給電して近距離無線通信を行う近距離無線通信手段による近距離無線通信工程と、
前記近距離無線通信手段よりも遠距離無線通信が可能な遠距離無線通信手段による遠距離無線通信工程と、
前記近距離無線通信手段により装置外部より情報の読み出しが可能な第２の記録媒体に撮像記録に関する状態情報を書き込む状態情報書き込み工程と、
前記撮像記録制御工程の制御状態に応じて電源状態を制御する電源制御工程とを備え、
前記状態情報書き込み工程は、前記電源状態の変更に応じて前記状態情報を前記第２の記録媒体に書き込むことを特徴とする撮像記録装置の制御方法。
【請求項１５】
請求項１または３に記載の撮像記録装置の各手段としてコンピュータを機能させることを特徴とするプログラム。
【発明の詳細な説明】
【技術分野】
【０００１】
本発明は撮像記録装置及び撮像記録装置の制御方法に関し、特に、撮像記録に関する状態情報を、近距離無線通信により読み出しが可能な記録媒体に記録する撮像装置に関する。
【背景技術】
【０００２】
近年の画像処理に関する作業環境では、画像データをコンピュータで取り扱い可能なデータファイル形式で処理する、いわゆるファイルベース化が進行している。ファイルベース化することにより、様々なコンピュータ技術を画像に対して適用可能となる。撮像装置にて撮像して生成した画像データを、音声データやその他付帯データと共に、記録媒体に記録することは一般的となっている。
そして、撮像装置にて撮像するタイミングと記録媒体にて記録するタイミングを様々にコンピュータで制御することで、より多彩な映像表現を行うことも一般的となっている。
【０００３】
例えば、撮像装置にて各フレーム画像を撮像する時間間隔を、再生時の時間間隔よりも長時間とするインターバル記録が用いられる。例えば、撮像装置にて１０分間隔で各フレーム画像を撮像し、各フレーム画像を画像ファイルとして記録媒体に記録する際には１／６０秒間隔で再生が行われる様に記録する。これにより、長時間の事象を短時間で視聴することが可能となる。インターバル記録は、例えば、野生動物の定点観察、天候の変化、植物の成長観察等に活用される。
【０００４】
更に近年では、インターネット等に代表される通信分野の技術発展が顕著であり、画像データを、通信技術を利用し、ある画像処理装置から外部画像処理装置へと画像データ転送を行う試みが多数為されている。ここで、画像処理装置とは画像データを扱う装置全般であり、デジタルビデオカメラ、デジタルスチルカメラ、パーソナルコンピュータ、タブレット型コンピュータ、スマートフォン、ワークステーション等、様々である。その他、例えば放送局、映画制作会社、映像制作会社等に設置される、業務目的を達成する為に使用される様々な画像処理装置も含まれる。
【０００５】
それら画像処理装置の記憶装置に記憶されたコンテンツを認識して読み出そうとする時、記憶装置の電源の状態によっては、認識と読み出しができないことが問題になる場合がある。この場合に、コンテンツの一覧データを不揮発性メモリに記憶し、外部から電力を供給しながら不揮発性メモリの内容を無線通信にて読み出すことで、コンテンツの内容を認識することが考えられる（例えば特許文献１）。
【先行技術文献】
【特許文献】
【０００６】
【特許文献１】特開２００６−２５９９８２号公報
【発明の概要】
【発明が解決しようとする課題】
【０００７】
しかしながら、前述の従来例では、以下のような問題点があった。
インターバル記録中に低消費電力動作モード（以下、省電モード）とした場合、撮像記録に関する状態を確認することができない問題があった。
インターバル記録は、野生動物の定点観察、天候の変化、植物の成長観察等の自然事象の記録に利用されることも多く、その場合、外部電源の確保が困難な屋外で撮像記録が実施される場合も多い。
【０００８】
その場合、限られたバッテリに貯蔵された電力を有効活用して、できるだけ長時間撮像記録を継続できることが望まれる。電力を有効活用した撮像記録が実施できれば、同じバッテリで、より長時間の撮像記録を実施することが可能となる。また、撮像記録の実施時間（例えば、２４時間）に対してであれば、より少ないバッテリで撮像記録を実施することも可能となる。前述の自然事象を撮像記録する場合等、遠隔地に移動して撮像記録を実施する場合もあり（例えば、日本からアフリカ大陸に移動）、携行するバッテリはできるだけ少量であることが望まれる。
【０００９】
インターバル記録中、撮像記録を実行していない時は、不必要な回路を個別に電源ＯＦＦすることで、電力の有効活用が可能となる。例えば、インターバル時間間隔を計測する為の最低限の回路構成となるマイクロコンピュータとその周辺回路のみを電源ＯＮとし、それ以外の回路は全て電源ＯＦＦする。それ以外の回路とは、撮影者が撮像記録に関する状態を目視確認する為のモニタ及びモニタ駆動回路、外部装置にて確認する為の通信回路等も含まれる。これにより、同じバッテリで、より長時間の撮像記録を実施することが可能となる。
【００１０】
この場合、撮像記録に関する状態を確認する為の手段である、モニタ及びモニタ駆動回路、通信回路等も電源ＯＦＦ状態となる。そのため、撮影者は撮像記録に関する状態を確認できない問題があった。
もし、撮影者がモニタ及びモニタ回路、通信回路等を電源ＯＮ状態とする為に、撮像記録通信装置全体の電源を一旦ＯＦＦして、再度ＯＮする等の操作を行うと、マイクロコンピュータの動作が初期化される。このため、インターバル記録が中断されてしまう問題があった。
【００１１】
また、インターバル記録動作を継続したまま、モニタ及びモニタ回路、通信回路を電源ＯＮ状態とする為には、その為の操作部材、回路、マイクロコンピュータ上で動作するプログラム等の追加が必要となる。このため、消費電力をできるだけ最小化するという効果が充分得られない結果にもなる。
本発明は前述の問題点に鑑み、インターバル記録を実行する際に、インターバル時間中に省電モードが実行された場合であっても、撮像記録に関する状態情報を撮影者が確認できるようにすることを目的とする。
【課題を解決するための手段】
【００１２】
本発明の撮像記録装置は、設定されたフレーム数の動画像を所定の時間間隔で撮像記録するインターバル記録モード機能を有する撮像記録装置であって、画像ファイルを記録する記録媒体と、撮像して画像ファイルを生成して前記記録媒体に記録する撮像記録手段と、前記インターバル記録モードで撮像するよう前記撮像記録手段を制御する撮像記録制御手段と、電磁誘導にて給電して近距離無線通信を行うことが可能な近距離無線通信手段と、前記近距離無線通信手段よりも遠距離無線通信が可能な遠距離無線通信手段と、前記近距離無線通信手段から前記遠距離無線通信手段へのハンドオーバーを制御する引き継ぎ制御手段と、前記撮像記録制御手段の制御状態に応じて電源状態を制御する電源制御手段とを備え、インターバル記録時以外からインターバル記録に遷移した時点で、前記引き継ぎ制御手段は、前記近距離無線通信手段から前記遠距離無線通信手段へのハンドオーバーを禁止することを特徴とする。
【発明の効果】
【００１３】
本発明によれば、インターバル記録中に低消費電力動作モードとした場合であっても、撮像記録に関する状態を確認することが可能になる。
【図面の簡単な説明】
【００１４】
【図１】第１の実施形態に係る撮像記録通信装置のハード構成を示すブロック図である。
【図２】第１の実施形態に係る撮像記録通信装置の使用例を示すシステム構成図である。
【図３】第１の実施形態に係る撮像記録通信装置の表示部にて表示する画面の一例を示す図である。
【図４】第１の実施形態に係る外部端末のタッチパネルディスプレイに表示される画面の一例を示す図である。
【図５】第１の実施形態におけるクリップデータのデータ構造の詳細を説明するための図である。
【図６】第１の実施形態における記録モード切り替え処理の手順を示すフローチャートである。
【図７】第１の実施形態におけるインターバル記録処理の手順を示すフローチャートである。
【図８】第１の実施形態における通常記録処理の手順を示すフローチャートである。
【図９】第２の実施形態におけるインターバル記録処理の手順を示すフローチャートである。
【発明を実施するための形態】
【００１５】
以下、添付図面を参照して、本発明の好適な実施形態について説明する。
＜第１の実施形態＞
図１は、第１の実施形態に係る撮像記録通信装置１００の構成を示すハード構成を示すブロック図である。本実施形態に係る撮像記録通信装置は、本発明の撮像記録装置の適用例となる構成である。撮像記録通信装置とは画像データを扱う装置であり、デジタルビデオカメラ、またはデジタルスチルカメラである。その他、撮像部を備えた、パーソナルコンピュータ、タブレット型コンピュータ、スマートフォン、ワークステーション等、であってもよい。また、そのほかに、放送局、映画制作会社、映像制作会社等にて使用される、業務目的を達成する為に使用される様々な撮像記録通信装置も含まれる。本実施形態では、撮像記録通信装置１００としてデジタルビデオカメラを例に挙げて説明する。
【００１６】
システム制御マイコン１０１は、例えば、ＣＰＵ（ＭＰＵ）、メモリ（ＤＲＡＭ、ＳＲＡＭ）などからなり、各種処理（プログラム）を実行して撮像記録通信装置１００の各ブロックを制御したり、各ブロック間でのデータ送受信を制御したりする。また、システム制御マイコン１０１は、ユーザからの操作を受け付ける操作部１０２からの操作信号に応じて、撮像記録通信装置１００の各ブロックを制御する。
【００１７】
操作部１０２は、電源ボタン、スライドスイッチ、ボタン、十字キー、タッチパネル等で構成される。ユーザによりこれらが操作されると、システム制御マイコン１０１に操作信号を送信する。
バス１０３は、各種データ、制御信号、指示信号などを撮像記録通信装置１００の各ブロックに送るための汎用バスである。
【００１８】
メモリ１０４は、例えばＲＡＭ（Ｒａｎｄｏｍ  Ａｃｃｅｓｓ  Ｍｅｍｏｒｙ）やフラッシュメモリであって、画像信号および音声信号、撮像記録通信装置１００の設定情報などを一時的に記憶する揮発性メモリと不揮発性メモリの双方が備わる。
記録媒体１０５は、撮像記録通信装置１００に内蔵される記録媒体である。記録媒体１０５は、撮像記録通信装置１００で扱う各種データなどを記録することができる。記録媒体１０５の例としては、例えばハードディスク、ＳＳＤ、光ディスク、フラッシュメモリなどがあげられる。本実施形態では、フラッシュメモリを例に説明する。
【００１９】
ＮＦＣ通信部１０６は、撮像記録通信装置１００が外部端末と近距離無線通信を行う為の通信部である。撮像記録通信装置１００と外部端末とが通信を行うことにより、外部端末は、撮像記録通信装置１００で扱う各種データなどを送受信することができる。また、外部端末にそれら各種データを記録することもできる。外部端末の例としては、例えばスマートフォン、タブレット型パソコン、ノート型パソコン、デスクトップ型パソコンなどがあげられる。本実施形態では、外部端末としては、いわゆるスマートフォンと呼ばれる撮像記録通信装置１００との間でＮＦＣ通信が可能な外部端末装置を例に説明する。
【００２０】
また、ＮＦＣ通信部１０６は、タグメモリ１１４を備える。システム制御マイコン１０１は、バス１０３とＮＦＣ通信部１０６を経由して、タグメモリ１１４と他ブロックとの間でのデータ送受信を制御する。タグメモリ１１４は、ＮＦＣ通信部１０６が電源ＯＦＦ状態であっても、外部端末から電磁誘導にて電力供給を行うことで動作し、外部端末との間で近距離無線通信を行うことが可能である。
【００２１】
ＷｉＦｉ通信部１０７は、撮像記録通信装置１００が外部端末装置とＷｉＦｉ通信し、ファイル転送する為の通信部である。ＷｉＦｉ通信部１０７は、近距離無線通信を行うＮＦＣ通信部１０６よりも遠距離無線通信が可能な遠距離無線通信部として設けられている。ＷｉＦｉ通信部１０７は、ＦＴＰに対応しており、ファイル転送を行う場合、ＦＴＰクライアントとしてＦＴＰサーバに対してファイル転送を実行する。端末としては、いわゆるスマートフォンと呼ばれる撮像記録通信装置１００との間でＮＦＣ通信が可能な外部端末装置を例に説明する。
【００２２】
表示部１０８は、撮像記録通信装置１００に内蔵される表示部であり、記録媒体１０５に記録された画像データや、各種メニューなどのＧＵＩを表示する。表示部１０８は、例えば、液晶ディスプレイ、有機ＥＬディスプレイ等を用いることができる。
音声出力部１０９は、撮像記録通信装置１００に内蔵されるものである。例えば、スピーカおよびその駆動部からなり、記録媒体１０５に記録された音声信号に基き音声を出力する。
【００２３】
映像外部出力部１１０は、外部映像表示装置を撮像記録通信装置１００に接続する為の出力部である。記録媒体１０５に記録された画像データや、各種メニューなどのＧＵＩを外部映像表示装置に表示する。外部映像表示装置の例としては、テレビ、モニタなどがあげられる。本実施形態では、外部モニタを例に説明する。
音声外部出力部１１１は、外部音声出力装置を撮像記録通信装置１００に接続する為の出力部である。記録媒体１０５に記録された音声信号にもとづき音声を出力する。外部音声出力装置の例としては、スピーカやヘッドフォンなどがあげられる。本実施形態では、外部スピーカを例に説明する。
【００２４】
撮像部１１２は、具体的にはレンズ、光電変換素子、信号処理回路等で構成され、レンズに入光した被写体情報を光電変換素子にて電気信号に変換し、信号処理を経て、画像データを生成する。また、レンズ位置はフォーカス状態およびズーム状態が適切な状態となるようにシステム制御マイコン１０１にて制御される。
【００２５】
符号化部１１３は、撮像部１１２が生成した画像データに対してＭＰＥＧ２規格等に基づく圧縮処理を施しファイル化を行う。そのファイル化されたデータは、メモリ１０４に記憶され、記録媒体１０５に記録されるプログラムに基づきシステム制御マイコン１０１が実行する処理によりメタデータが追加され、ストリームファイルを生成する。同様に、記録媒体１０５に記録されるプログラムに基づき、システム制御マイコン１０１が実行する処理により、メモリ１０４上にメタデータファイルを生成する。
【００２６】
本実施形態では、操作者が操作部１０２を操作することにより、撮影モードをインターバル記録モードに設定することができる。インターバル記録モード機能は、設定されたフレーム数の動画像を所定の時間間隔で撮像記録するための機能である。インターバル記録モードでは、操作者が操作部１０２をマニュアル操作することにより、撮像記録通信装置１００は撮像記録を開始する。撮像記録通信装置１００は、撮像記録を開始すると、システム制御マイコン１０１がバス１０３を経由して各ブロックに動作指示を行う。これにより、撮像部１１２が撮像を行い、符号化部１１３が符号化を行い、符号化された画像データがメモリ１０４に蓄積される。
【００２７】
メモリ１０４に蓄積された画像データは、記録媒体１０５に画像ファイルとして記録される。インターバル記録モードの場合、所定の画像フレーム数（例えば１フレーム）の画像データをメモリ１０４に蓄積後、一旦、撮像部１１２、符号化部１１３等の動作を停止する。システム制御マイコン１０１は、所定のインターバル時間（例えば１０分）を計測する。システム制御マイコン１０１は、所定のインターバル時間が経過したと判断した時、再び撮像部１１２と符号化部１１３に対して動作指示を行う。
【００２８】
メモリ１０４に蓄積された各フレーム画像を記録媒体１０５に画像ファイルとして記録する時、再生時の各フレーム画像の再生時間間隔が所定の値（例えば１／６０秒）となるように記録する。以上の処理を反復することで、インターバル記録を実施する。これにより、長時間の事象を、短時間で再生する映像効果が得られる（例えば、１０時間の事象を、１秒間で再生する）。
【００２９】
また、インターバル記録において画像データファイルを記録する度に、システム制御マイコン１０１は、撮像記録通信装置１００の各部の状態を状態情報、いわゆるメタデータとして記録媒体１０５に記録される画像データファイルに付随情報として併せて記録するバックアップ記録を行う。更には、表示部１０８に情報表示を行う。例えば、撮像画像にて動体検知の有無（例えば、野生動物の定点観測）の表示である。その他、インターバル撮影における次回撮像記録実施時刻（例えば、１６時５０分）、バッテリ残量情報等については、画像データファイルには記録はしないが、表示部１０８に情報表示を行う。
【００３０】
インターバル記録において画像データファイルを記録する度に、システム制御マイコン１０１は、メタデータをＮＦＣ通信部１０６の内部に備わるタグメモリ１１４にも併せて記録する。タグメモリ１１４へ記録した後、システム制御マイコン１０１は、各ブロックへ供給する電源状態をオンからオフにして低消費電力状態に移行するように電源制御を行う。
【００３１】
図２は、装置外部の通信相手であるスマートフォンと組み合わせて撮像記録通信装置１００を使用する例を示すシステム構成図である。
撮像記録通信装置１００は、外部端末２０１と２系統の無線通信を行う。外部端末２０１は、例えばスマートフォンである。１系統目はＮＦＣ通信である。ＮＦＣ通信は、撮像記録通信装置１００に備わるＮＦＣ通信部１０６と外部端末２０１に備わるＮＦＣ通信部２０３との間で通信を行う。
【００３２】
２系統目はＷｉＦｉ通信である。ＷｉＦｉ通信は、撮像記録通信装置１００に備わるＷｉＦｉ通信部１０７と外部端末２０１に備わるＷｉＦｉ通信部２０４との間で通信を行う。それら２系統の通信経路は、ＮＦＣ通信のみ実行すること、ＷｉＦｉ通信のみ実行すること、ＮＦＣ通信とＷｉＦi通信の両方を実行すること、以上のいずれもが可能である。
【００３３】
ＮＦＣ通信に関しては、撮像記録通信装置１００のＮＦＣ通信部１０６が電源ＯＦＦの場合でも通信が可能である。その場合、外部端末２０１のＮＦＣ通信部２０３から撮像記録通信装置１００のＮＦＣ通信部１０６へ電磁誘導にて電力供給を行うことで、撮像記録通信装置１００のＮＦＣ通信部１０６を作動状態とする。これにより、外部端末２０１のＮＦＣ通信部２０３にて、撮像記録通信装置１００のＮＦＣ通信部１０６に備わるタグメモリ１１４に対して、データの読み出し及び書き込みを行う。
【００３４】
外部端末２０１は、タッチパネルディスプレイ２０２を備える。タッチパネルディスプレイ２０２は、ディスプレイ機能とタッチパネル機能を兼ね備えている。ディスプレイ機能は、外部端末２０１で扱う画像データ、テキストデータ、操作メニュー等を表示する。また、タッチパネル機能は、操作者が指等で表示された操作メニューの所望の箇所をタッチすることで、操作部材を操作しているのと同様に外部端末２０１に対して操作指示を行う。また、外部端末２０１は、操作部２０５を備える。操作部２０５は、ボタン等で構成される。操作者が操作部２０５を操作することで、外部端末２０１に対して操作指示を与えることができる。
【００３５】
本実施形態では、撮像記録通信装置１００がインターバル記録モードにて撮像記録中の時、インターバル時間計測中はＮＦＣ通信部１０６が電源ＯＦＦ状態となっている。その時に、外部端末２０１のＮＦＣ通信部２０３から撮像記録装置のＮＦＣ通信部１０６に電磁誘導にて給電を行う。
これにより、外部端末２０１は撮像記録通信装置１００のＮＦＣ通信部１０６に備わるタグメモリ１１４に書き込まれた、各種メタデータを読み出す。各種メタデータとは、例えば、動体検知の有無、インターバル記録動作における次回撮像記録予定時刻、バッテリ残量等である。そして、外部端末２０１は、それら読みだしたメタデータをタッチパネルディスプレイ２０２にて表示することで、操作者は、低消費電力動作状態であっても、撮像記録に関する状態情報を確認することが可能となる。
【００３６】
図３は、撮像記録通信装置１００の表示部１０８にて表示する画面の一例を示す図である。
図３（ａ）は、撮影モードを選択する時に表示するユーザーインターフェイスの図である。撮像記録通信装置１００の操作部１０２にてメニューを表示して、撮影モード選択メニューを表示する旨の操作指示を行うと、図３（ａ）に示すユーザーインターフェイスが表示される。撮影モード選択ダイアログ３０１はメニューの全体を表す。
【００３７】
通常記録モードボタン３０２を選択すると、撮像記録通信装置１００の動作モードが通常記録モードとなる。インターバル記録モードボタン３０３を選択すると、撮像記録通信装置１００の動作モードがインターバル記録モードとなる。通常記録モードボタン３０２またはインターバル記録モードボタン３０３の操作は、操作者が操作部１０２を操作することで行う。通常記録モードボタン３０２の選択操作が実行されると、撮影モード選択ダイアログ３０１は閉じ、表示部１０８の表示内容は、通常画面表示に遷移する。
【００３８】
インターバル記録モードボタン３０３の選択操作が実行されると、図３（ｂ）のインターバル時間選択ダイアログ３１１が表示される。インターバル時間１分ボタン３１２を選択すると、インターバル時間として１分間が設定される。
インターバル時間１０分ボタン３１３を選択すると、インターバル時間として１０分間が設定される。インターバル時間１分ボタン３１２、またはインターバル時間１０分ボタン３１３の選択操作が実行されると、インターバル時間選択ダイアログ３１１は閉じ、表示部１０８の表示内容は、通常画面表示に遷移する。
以上、撮影モード選択ダイアログ３０１およびインターバル時間選択ダイアログ３１１の選択結果は、メモリ１０４に記憶される。
【００３９】
図３（ｃ）は、通常表示画面の図である。画面３２１は表示部１０８にて表示される画面である。バッテリ残量表示３２２は、バッテリの残量（例えば、５０％）を表示する。動体検知表示３２３は、撮像部１１２にて画像解析した結果として、動体検知の有無（例えば、動体検知有り）を表示する。
【００４０】
本実施形態では、撮影モード選択ダイアログ３０１にてインターバル記録モードボタン３０３を押下することにより、インターバル記録モードを選択する。引き続き、インターバル時間選択ダイアログにて所定のインターバル時間（例えば、１０分）を選択する。インターバル記録モード及びインターバル時間を選択後、画面３２１に示す通常表示画面が表示される。
【００４１】
この時点では、インターバル記録を開始していない為、撮像記録通信装置１００は低消費電力動作状態とはなっておらず、表示部１０８には通常表示画面を表示する。そして、操作者は表示部１０８を目視確認することにより、撮像記録に関する状態情報を確認する。撮像記録に関する状態情報は、例えば、バッテリ残量情報や動体検知有無情報である。
【００４２】
その後、撮影者が撮像記録通信装置１００の操作部１０２を操作することにより、インターバル記録モードにおける撮像記録を開始する。インターバル撮像記録が開始されると、インターバル時間計測中は低消費電力動作状態に移行する為、表示部１０８は電源ＯＦＦする。その為、インターバル時間計測中は、操作者は表示部１０８を目視確認しても、撮像記録に関する状態情報を確認することはできない。
【００４３】
図４は、外部端末２０１のタッチパネルディスプレイ２０２に表示される画面の一例を示す図である。外部端末２０１は例えばスマートフォンであり、専用アプリケーションが起動している状態である。
その専用アプリケーションは、撮像記録通信装置１００のＮＦＣ通信部１０６への電磁誘導による電力供給と、ＮＦＣ通信部１０６との通信、ＮＦＣ通信部１０６に備わるタグメモリ１１４に対するデータの書き込み及び読み出しを行う。特に、タグメモリ１１４から撮像記録に関する状態情報、いわゆるメタデータを読み出し、外部端末２０１のタッチパネルディスプレイ２０２にそれらメタデータを表示する。
【００４４】
４０１は、タッチパネルディスプレイ２０２の表示領域の全体を示す。
バッテリ残量表示４０２は、撮像記録通信装置１００のＮＦＣ通信部１０６に備わるタグメモリ１１４から読み出したバッテリ残量情報を表示する。
動体検知有無表示４０３は、同様に読み出した動体検知有無情報を表示する。
次回撮像記録予定時刻４０４は、同様に読み出した次回撮像記録予定時刻情報を表示する。
【００４５】
本実施形態では、撮像記録通信装置１００がインターバル撮影モードにて撮像記録を実行中、システム制御マイコン１０１にて、撮像記録に関する状態情報をバス１０３を経由して各ブロックから情報収集する。そして、ＮＦＣ通信部１０６に備わるタグメモリ１１４にそれら状態情報の書き込みを行う。その書き込みを実施した後、システム制御マイコン１０１は、各ブロックに対して電源ＯＦＦの命令を出す。各ブロックは、個別に電源ＯＦＦすることで、撮像記録通信装置１００は低消費電力動作状態に移行する。
【００４６】
低消費電力動作状態では、ＮＦＣ通信部１０６も電源ＯＦＦ状態となる。しかしながら、外部端末２０１上で専用アプリケーションが動作して、ＮＦＣ通信部１０６に対して電磁誘導による電力供給を行うことで、ＮＦＣ通信が可能となる。これにより、ＮＦＣ通信部１０６に備わるタグメモリ１１４の内容を外部端末２０１により読み出すことが可能になる。
【００４７】
外部端末２０１上で動作する専用アプリケーションは、タグメモリ１１４から、撮像記録に関する状態情報を読み出し、タッチパネルディスプレイ２０２に表示する。表示項目としては、バッテリ残量表示４０２、動体検知有無表示４０３、次回撮像記録予定時刻４０４などである。
【００４８】
図５は、クリップのデータ構造の詳細を説明するための図である。
クリップ５０１は、撮像記録通信装置１００、すなわちデジタルビデオカメラにて、撮影開始操作時から撮影終了操作時までの、ひとまとまりの操作にて撮影記録される画像データのひとまとまりである。
クリップ５０１は、ストリームファイル５０２とメタデータファイル５０５とで構成される。これらファイルは、撮像記録通信装置１００の記録媒体１０５に記録される。ストリームファイル５０２とメタデータファイル５０５とは、一対の情報であることを示す為、メディア上のファイルシステムの階層構造にて、同一フォルダに格納される。
【００４９】
また、それぞれのファイル名も関連を持たせて、撮像記録通信装置１００にてファイル内容を認識する場合、ユーザがファイル管理ツール等を用いてファイル内容を確認する場合、ともに利便性を高めている。例えば、ストリームファイルのファイル名を「ＡＡ０００１０１．ＭＸＦ」、メタデータファイルのファイル名を「ＡＡ０００１．ＸＭＬ」等とする。両者には共通して「ＡＡ０００１」文字列が設定される為、両者は一対のファイル群であることを識別できる。
【００５０】
ストリームファイル５０２は、画像データ５０４を格納するためのファイルである。また、画像データ５０４の生成時の各種情報を格納するためのヘッダーメタデータ５０３も備える。ヘッダーメタデータ５０３は、例えば符号化方式（ＭＰＥＧ２、Ｈ．２６４、等）、解像度（１９２０×１０８０、１２８０×７２０、等）、フレームレート（２４Ｐ、３０Ｐ、５９．９４Ｐ、等）等の情報である。
【００５１】
メタデータファイル５０５には各種メタデータが記録される。その中に、動体検知有無メタデータ５０６が記録される。動体検知有無メタデータ５０６は、撮像記録時に撮像画像情報を解析した結果として、動体検知の有無情報を格納する。また、動体検知が有りであった場合、どのフレーム画像にて有りであったかを示すタイムコード情報も併せて格納する。
【００５２】
本実施形態では、撮像記録通信装置１００のシステム制御マイコン１０１にて、撮像記録に関する状態情報、いわゆるメタデータを生成する。そして、各メタデータの内容に応じて記録先及び表示先を変更する。例えば、動体検知有無情報は、メタデータファイル５０５と、タグメモリ１１４の両方に書き込み、表示部１０８に表示する。例えば、オート制御された結果のバッテリ残量情報は、タグメモリ１１４に書き込み、表示部１０８に表示するが、メタデータファイル５０５には書き込みは行わない。
【００５３】
次回撮像記録予定時刻情報は、タグメモリ１１４に書き込むが、メタデータファイル５０５には書き込まず、表示部１０８にも表示しない。次回撮像記録予定時刻情報は、撮影者がインターバル記録機能を利用した撮影作業計画を立てる上で、インターバル時間計測中に知るべき重要な情報である。しかし、インターバル時間計測中は低消費電力モードに移行することにより表示部１０８は電源ＯＦＦとなる為、表示部１０８に次回撮像記録予定時刻情報を表示する領域を確保することは非効率である。
【００５４】
撮像記録通信装置１００は、例えばデジタルビデオカメラであるが、可搬性を確保する為、表示部１０８の表示領域の大きさは、一般的なパーソナルコンピュータ等と比較して小さい。その為、表示部１０８に表示するメタデータ項目は、必要性の高い項目のみを厳選して表示する必要がある。次回撮像記録予定時刻情報をタグメモリ１１４に書き込み、外部端末２０１のタッチパネルディスプレイ２０２に表示することで、同情報を撮像記録通信装置１００の表示部１０８に表示する必要が無くなる。これにより、表示部１０８の限られた表示面積を有効活用することができる。
【００５５】
図６は、本実施形態における撮像記録通信装置１００が備えるシステム制御マイコン１０１が実行する記録モード切り替え処理の手順を示すフローチャートである。このフローチャートの各処理は、メモリ１０４に格納されたプログラム（ＯＳや対応アプリなど）をシステム制御マイコン１０１が実行することにより実現する。
Ｓ６０１は、処理の開始を示す。
Ｓ６０２は、記録モードを検出するモード検出処理を行う。記録モードは、撮像記録通信装置１００にて、撮影モード選択ダイアログ３０１にて選択してメモリ１０４に格納された選択結果情報を参照することにより検出する。記録モードがインターバル記録モードであった場合はＳ６０３に進む。記録モードが通常記録モードであった場合はＳ６０８に進む。
【００５６】
Ｓ６０３では、ＮＦＣ通信部１０６が備えるタグメモリ１１４の内容を、撮像記録メタデータの格納領域として初期化する。
Ｓ６０４では、ハンドオーバー禁止設定とする引き継ぎ制御を行う。これにより、引き継ぎによるＷｉＦｉ通信を行うことができなくなる。なお、ここではさらに、ハンドオーバーができないことを示す情報をタグメモリ１１４に記録する。これにより、タグメモリ１１４からデータ読み出す通信相手に、ハンドオーバーができない状態にあることを把握させることができる。
Ｓ６０５では、撮像記録開始操作の有無を判定する。撮像記録開始操作は、操作者が操作部１０２を操作することで行う。操作無しの場合は、再びＳ６０５に戻る。操作有りの場合はＳ６０６に進む。
【００５７】
Ｓ６０６では、インターバル記録を実行するように、システム制御マイコン１０１が撮像部１１２の撮像記録制御を行う。
Ｓ６０７では、撮像記録終了操作の有無を判定する。撮像記録終了操作は、撮像記録開始操作と同様に、操作者が操作部１０２を操作することで行う。操作無しの場合はＳ６０６に戻り、インターバル記録の実行を継続する。操作有りの場合はＳ６１３に進み、処理終了する。この際、Ｓ６０４で禁止に設定したハンドオーバーを許可設定に切り替える。併せて、ハンドオーバーができることを示す情報をタグメモリ１１４に記録する。
【００５８】
Ｓ６０８では、ＮＦＣ通信部１０６が備えるタグメモリ１１４の内容を、ハンドオーバー実行用情報の格納領域として初期化する。
Ｓ６０９では、ハンドオーバー許可設定とする引き継ぎ制御を行う。この際、ハンドオーバーができることを示す情報をタグメモリ１１４に記録する。
Ｓ６１０では、撮像記録開始操作の有無を判定する。撮像記録開始操作は、操作者が操作部１０２を操作することで行う。操作無しの場合は、再びＳ６１０に戻る。操作有りの場合はＳ６１１に進む。
【００５９】
Ｓ６１１では、通常記録を実行する。
Ｓ６１２では、撮像記録終了操作の有無を判定する。撮像記録終了操作は、撮像記録開始操作と同様に、操作者が操作部１０２を操作することで行う。操作無しの場合はＳ６１１に戻り、通常記録の実行を継続する。操作有りの場合はＳ６１３に進み、処理終了する。この処理の終了は、ハンドオーバー許可設定のまま終了する。すなわち、ハンドオーバーができることを示す情報がタグメモリ１１４に記録された状態のまま終了する。
なお、終了操作にはデジタルカメラの電源ＯＦＦの操作も含まれる。言い換えれば、電源をＯＦＦにしてもハンドオーバー許可設定のままとなる。なお、本実施形態では、電源ＯＦＦの状態でＮＦＣ通信部１０６が外部装置からの電力供給を受けて通信した場合、デジタルカメラ全体も起動して、ハンドオーバーの処理を行い、ＷｉＦｉ通信を確立するよう動作する。
【００６０】
図７は、本実施形態における撮像記録通信装置１００が備えるシステム制御マイコン１０１が実行するインターバル記録処理を示すフローチャートである。このフローチャートは、図６におけるインターバル記録実行を示すＳ６０６に相当するものであり、図６のフローチャートにおけるサブルーチンである。このフローチャートの各処理は、メモリ１０４に格納されたプログラム（ＯＳや対応アプリなど）をシステム制御マイコン１０１が実行することにより実現する。
【００６１】
Ｓ７０１は、処理の開始を示す。
Ｓ７０２では、所定のフレーム数の動画像を撮像して記録する、撮像記録を実行する。所定のフレーム数は、例えば、１フレームである。
Ｓ７０３では、撮像記録に関する状態情報をバス１０３経由で各ブロックより取得する。
【００６２】
Ｓ７０４では、撮像記録メタデータを生成する。生成された撮像記録メタデータは、その項目内容に応じて、メタデータファイル５０５に記録される。
Ｓ７０５では、撮像記録メタデータをＮＦＣ通信部１０６が備えるタグメモリ１１４へ、バス１０３経由で書き込む、状態情報書き込み処理を行う。
【００６３】
Ｓ７０６では、低消費電力動作状態、いわゆる省電モードへ移行する。具体的には、システム制御マイコン１０１は、撮像記録の制御状態情報に応じて撮像部１１２、符号化部１１３、表示部１０８、ＮＦＣ通信部１０６等を、各ブロック毎に個別に電源ＯＦＦする制御を行う。
Ｓ７０７では、インターバル時間が所定時間を経過したかどうか判定する。この所定時間は、インターバル時間選択ダイアログ３１１にて設定され、メモリ１０４に格納されている値であり、例えば、１０分間である。所定時間を経過していない場合はＳ７０７に戻る。所定時間を経過した場合はＳ７０８に進む。
Ｓ７０８では、インターバル記録時からインターバル記録時以外に遷移した時点で、省電モードを解除し、Ｓ７０２に戻る。
【００６４】
図８は、本実施形態における撮像記録通信装置１００が備えるシステム制御マイコン１０１が実行する通常記録処理を示すフローチャートである。このフローチャートは、図６における通常記録実行を示すＳ６１１に相当するものであり、図６のフローチャートにおけるサブルーチンである。図８においては、図７で示すインターバル記録処理を示すフローチャートに対する差異のみを説明する。このフローチャートの各処理は、メモリ１０４に格納されたプログラム（ＯＳや対応アプリなど）をシステム制御マイコン１０１が実行することにより実現する。
【００６５】
Ｓ８０１は、処理の開始を示す。図７のフローチャートでは、実施していたＳ７０５、Ｓ７０６、Ｓ７０７、Ｓ７０８を図８では非実施としている。
Ｓ７０７は、インターバル時間を計測する処理であるが、図８は通常記録処理を示す為、非実施である。
【００６６】
Ｓ７０６とＳ７０８は省電モードに関する処理であるが、通常記録ではインターバル時間期間は無く、同様に省電モードを実行できる期間は無い為、非実施である。Ｓ７０５はタグメモリ１１４への書き込み処理であるが、省電モードを実行しないので、同様に書き込みを行う必要は無い為、非実施である。
【００６７】
以上より、省電モードに移行する前に撮像記録メタデータをＮＦＣタグメモリに書き込むことで、省電モード中であっても、撮像記録メタデータの内容を確認することが可能となり、利便性が向上する。省電モード移行により、表示パネルが電源ＯＦＦ状態となり表示情報の目視確認ができない場合でも、ＮＦＣ通信を経由して外部端末にて撮像記録メタデータの内容を確認できる。
【００６８】
特に、ＮＦＣ通信の特徴である、外部端末より電磁誘導にて電力供給を行う為、撮像記録通信装置側のＮＦＣ通信部の電源をＯＦＦすることが可能となり、より一層効果的な低消費電力動作状態とすることが可能となる。
【００６９】
また、インターバル記録モード以外では限られたＮＦＣタグメモリの容量を、撮像記録メタデータ格納以外の用途に活用できる。例えば、通常記録モードでは、ハンドオーバーによるＷｉＦｉ通信の利便性向上も併せて実現できる為、より一層、利便性が向上する。
【００７０】
＜第２の実施形態＞
図９は、本実施形態における撮像記録通信装置１００が備えるシステム制御マイコン１０１が実行するインターバル記録処理を示すフローチャートである。このフローチャートは、図６におけるインターバル記録実行を示すＳ６０６に相当するものであり、図６のフローチャートにおけるサブルーチンである。このフローチャートの各処理は、メモリ１０４に格納されたプログラム（ＯＳや対応アプリなど）をシステム制御マイコン１０１が実行することにより実現する。
【００７１】
図７で示すインターバル記録処理を示すフローチャートに対する差異のみを説明する。
Ｓ９０１は、処理の開始を示す。図７のフローチャートでは実施していたＳ７０５の実施タイミングを変更しており、変更後のタイミングはＳ９０２の位置である。
以上より、ＮＦＣタグメモリに書き込むタイミングは、省電モード実行中以外であれば良い為、撮像記録通信装置全体としての設計都合に合わせた、自由度の高い設計を行うことができる。
【００７２】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【符号の説明】
【００７３】
１００  画像処理装置
１０１  システム制御マイコン
１０２  操作部
１０３  バス
１０４  メモリ
１０５  記録媒体
１０６  ＮＦＣ通信部
１０７  ＷｉＦｉ通信部
１０８  表示部
１０９  音声出力部
１１０  映像外部出力部
１１１  音声外部出力部
１１２  撮像部
１１３  符号化部
１１４  タグメモリ
【図１】
2017022553.tif 000003
【図２】
2017022553.tif 000004
【図３】
2017022553.tif 000005
【図４】
2017022553.tif 000006
【図５】
2017022553.tif 000007
【図６】
2017022553.tif 000008
【図７】
2017022553.tif 000009
【図８】
2017022553.tif 000010
【図９】
2017022553.tif 000011